(57)【要約】【課題】点検結果の入力作業に伴う煩雑さを解消する。【解決手段】点検者が、タグリーダ７を火災報知器のＩＣタグにあてがうと、ＩＣタグは、機器ＩＤを含む反射波をタグリーダ７に送信する。タグリーダ７がこの反射波を受け取ると、ＣＰＵ１１は、その機器ＩＤをＲＡＭ１３に記憶し、表示部１６に状態ボタンを表示させて、操作があるか否かを判断する。状態ボタンに対する押下の操作がある場合には、ＣＰＵ１１は、この操作に応じた結果情報と機器ＩＤを対応付けて点検結果テーブル１４１に書き込む。一方、この操作がない場合には、ＣＰＵ１１は、タグリーダ７から機器ＩＤを受信したか否かを判断し、新たな機器ＩＤを受信したと判断すると、ＣＰＵ１１は、「良」を示す結果情報と機器ＩＤとを対応付けて点検結果テーブル１４１に書き込む。【選択図】図３
2010262388.tif 000002
【特許請求の範囲】
【請求項１】
試験装置に設けられたアンテナを有し、前記試験装置が試験対象機器に対して所定距離近接すると前記試験対象機器に設けられた発信装置から当該試験対象機器を識別する識別情報を前記アンテナを介して受信する受信装置と、
前記受信装置が受信した識別情報を記憶する記憶手段と、
試験結果を示す結果情報を受け取る結果情報受取手段と、
前記記憶手段内の識別情報に対し前記結果情報受取手段が受け取った結果情報または予め定められた結果情報を対にして記憶させる結果情報組合せ手段とを有し、
前記結果情報組合せ手段は、前記記憶手段に記憶された識別情報が未だ結果情報と組み合わされていない状態のときに、前記結果情報受取手段が結果情報を受け取ると当該結果情報と当該識別情報とを組合せ、前記記憶手段に記憶された識別情報が未だ結果情報と組み合わされていない状態のときに、前記受信装置が前記識別情報を新たに受信すると前記予め定められた結果情報と当該識別情報とを組み合わせる
ことを特徴とする作業端末。
【請求項２】
前記受信装置は、前記アンテナを介して前記発信装置から前記識別情報を受信するとともに、前記結果情報組合せ手段が当該識別情報と組み合わせる前記結果情報を前記発信装置に書き込む
ことを特徴とする請求項１に記載の作業端末。
【請求項３】
前記所定距離は、前記試験装置が前記試験対象機器に対して試験を行い得る距離である
ことを特徴とする請求項１または２に記載の作業端末。
【請求項４】
前記受信装置は、複数の試験装置にそれぞれ設けられたアンテナを有し、前記複数の試験装置のいずれかが試験対象機器に対して所定距離近接すると、当該試験装置を識別する受信装置識別情報と、前記試験対象機器に設けられた発信装置から当該試験対象機器を識別する識別情報とを前記アンテナを介して受信し、
前記記憶手段は、前記受信装置が受信した識別情報と受信装置識別情報との組を記憶し、
前記結果情報組合せ手段は、前記記憶手段内の識別情報と受信装置識別情報との組に対し前記結果情報受取手段が受け取った結果情報または予め定められた結果情報を対にして記憶させ、かつ、前記記憶手段に記憶された、識別情報と受信装置識別情報との組が未だ結果情報と組み合わされていない状態のときに、前記結果情報受取手段が結果情報を受け取ると当該結果情報と前記組とを組合せ、前記記憶手段に記憶された、識別情報と受信装置識別情報との組が未だ結果情報と組み合わされていない状態のときに、前記受信装置が前記識別情報と前記受信装置識別情報とを新たに受信すると前記予め定められた結果情報と前記組とを組み合わせる
ことを特徴とする請求項１から３のいずれかに記載の作業端末。
【請求項５】
試験対象機器を試験する試験装置と、
前記試験対象機器に設けられ、識別情報を発信する発信装置と、
請求項１から４のいずれかに記載の作業端末と
を具備することを特徴とする管理システム。
【請求項６】
前記試験対象機器の配置を取得する配置取得手段と、
前記配置取得手段が取得した前記試験対象機器の配置に基づき、前記試験装置による前記試験対象機器の試験の手順を生成する手順生成手段と
を具備することを特徴とする請求項５に記載の管理システム。
【請求項７】
試験装置に設けられたアンテナを有し、前記試験装置が試験対象機器に対して所定距離近接すると前記試験対象機器に設けられた発信装置から識別情報を前記アンテナを介して受信する受信装置と、
前記受信装置が受信した識別情報を記憶する記憶手段と、
試験結果を示す結果情報を受け取る結果情報受取手段とを有するコンピュータを、
前記記憶手段内の識別情報に対し前記結果情報受取手段が受け取った結果情報または予め定められた結果情報を対にして記憶させる結果情報組合せ手段であって、前記記憶手段に記憶された識別情報が未だ結果情報と組み合わされていない状態のときに、前記結果情報受取手段が結果情報を受け取ると当該結果情報と当該識別情報とを組合せ、前記記憶手段に記憶された識別情報が未だ結果情報と組み合わされていない状態のときに、前記受信装置が前記識別情報を新たに受信すると前記予め定められた結果情報と当該識別情報とを組み合わせる結果情報組合せ手段と
して機能させるためのプログラム。
【発明の詳細な説明】
【技術分野】
【０００１】
本発明は、機器点検の結果データを管理するための作業端末、管理システム、およびプログラムの技術に関する。
【背景技術】
【０００２】
火災報知器などに対して定期的に行われる点検作業では、点検者は現場にチェックシートなどの記入用紙を持ち込み、点検結果をこれに記入する。記入された記入用紙は、ファクシミリなどによって送信され、これを受信した管理者はこの点検結果をコンピュータなどに入力して集計する。また、このような記入用紙に替えて、近年では、パームトップなどの携帯機器を用いて点検結果を入力し、集計するシステムが開発されている。特許文献１には、点検対象装置の表面等にその装置のＩＤナンバー等を搭載した固有情報認識体を設け、これを読み取って報告漏れや判定ミスを防ぐ点検情報管理システムが開示されている。
【先行技術文献】
【特許文献】
【０００３】
【特許文献１】特開２００４−３１０７１１号公報
【発明の概要】
【発明が解決しようとする課題】
【０００４】
しかしながら、特許文献１の技術では、機器を点検した結果、機器が正常である（以下「良」という）か、正常でない（以下、「不良」という）かについて、いずれの場合であっても、入力操作を行わなければならず、入力作業は煩雑であった。
【０００５】
本発明の課題は、点検結果の入力作業に伴う煩雑さを解消することである。
【課題を解決するための手段】
【０００６】
上述した課題を解決するため、本発明に係る作業端末は、試験装置に設けられたアンテナを有し、前記試験装置が試験対象機器に対して所定距離近接すると前記試験対象機器に設けられた発信装置から識別情報を前記アンテナを介して受信する受信装置と、前記受信装置が受信した識別情報を記憶する記憶手段と、試験結果を示す結果情報を受け取る結果情報受取手段と、前記記憶手段内の識別情報に対し前記結果情報受取手段が受け取った結果情報または予め定められた結果情報を対にして記憶させる結果情報組合せ手段とを有し、前記結果情報組合せ手段は、前記記憶手段に記憶された識別情報が未だ結果情報と組み合わされていない状態のときに、前記結果情報受取手段が結果情報を受け取ると当該結果情報と当該識別情報とを組合せ、前記記憶手段に記憶された識別情報が未だ結果情報と組み合わされていない状態のときに、前記受信装置が前記識別情報を新たに受信すると前記予め定められた結果情報と当該識別情報とを組み合わせることを特徴とする。
【０００７】
好ましくは、前記受信装置は、前記アンテナを介して前記発信装置から前記識別情報を受信するとともに、前記結果情報組合せ手段が当該識別情報と組み合わせる前記結果情報を前記発信装置に書き込むとよい。
【０００８】
また、好ましくは、前記所定距離は、前記試験装置が前記試験対象機器に対して試験を行い得る距離であるとよい。
【０００９】
また、好ましくは、前記受信装置は、複数の試験装置にそれぞれ設けられたアンテナを有し、前記複数の試験装置のいずれかが試験対象機器に対して所定距離近接すると、当該試験装置を識別する受信装置識別情報と、前記試験対象機器に設けられた発信装置から当該試験対象機器を識別する識別情報とを前記アンテナを介して受信し、前記記憶手段は、前記受信装置が受信した識別情報と受信装置識別情報との組を記憶し、前記結果情報組合せ手段は、前記記憶手段内の識別情報と受信装置識別情報との組に対し前記結果情報受取手段が受け取った結果情報または予め定められた結果情報を対にして記憶させ、かつ、前記記憶手段に記憶された、識別情報と受信装置識別情報との組が未だ結果情報と組み合わされていない状態のときに、前記結果情報受取手段が結果情報を受け取ると当該結果情報と前記組とを組合せ、前記記憶手段に記憶された、識別情報と受信装置識別情報との組が未だ結果情報と組み合わされていない状態のときに、前記受信装置が前記識別情報と前記受信装置識別情報とを新たに受信すると前記予め定められた結果情報と前記組とを組み合わせるとよい。
【００１０】
また、本発明に係る管理システムは、試験対象機器を試験する試験装置と、試験対象機器に設けられ、識別情報を発信する発信装置と、上述の作業端末とを具備することを特徴とする。
【００１１】
好ましくは、前記試験対象機器の配置を取得する配置取得手段と、前記配置取得手段が取得した前記試験対象機器の配置に基づき、前記試験装置による前記試験対象機器の試験の手順を生成する手順生成手段とを具備するとよい。
【００１２】
また、本発明に係るプログラムは、試験装置に設けられたアンテナを有し、前記試験装置が試験対象機器に対して所定距離近接すると前記試験対象機器に設けられた発信装置から識別情報を前記アンテナを介して受信する受信装置と、前記受信装置が受信した識別情報を記憶する記憶手段と、試験結果を示す結果情報を受け取る結果情報受取手段とを有するコンピュータを、前記記憶手段内の識別情報に対し前記結果情報受取手段が受け取った結果情報または予め定められた結果情報を対にして記憶させる結果情報組合せ手段であって、前記記憶手段に記憶された識別情報が未だ結果情報と組み合わされていない状態のときに、前記結果情報受取手段が結果情報を受け取ると当該結果情報と当該識別情報とを組合せ、前記記憶手段に記憶された識別情報が未だ結果情報と組み合わされていない状態のときに、前記受信装置が前記識別情報を新たに受信すると前記予め定められた結果情報と当該識別情報とを組み合わせる結果情報組合せ手段として機能させるためのプログラムである。
【発明の効果】
【００１３】
本発明によれば、簡単かつ正確に点検結果の入力作業を行うことができる。
【図面の簡単な説明】
【００１４】
【図１】実施形態に係る管理システムの全体構成を示す概念図である。
【図２】火災報知器および中央監視装置の構成を示すブロック図である。
【図３】作業端末の構成を示すブロック図である。
【図４】作業端末の外観を示す図である。
【図５】タグリーダを試験器に装着した状態を示す図である。
【図６】タグリーダを装着した試験器により火災報知器を点検する状態の概略を示す図である。
【図７】データベースサーバの構成を示すブロック図である。
【図８】作業端末の操作画面の一例を示す図である。
【図９（ａ）】作業端末の動作の流れを説明するフローチャートである。
【図９（ｂ）】作業端末の動作の流れを説明するフローチャートである。
【図１０】点検結果テーブルの一例を示す図である。
【図１１】データベースサーバの記憶部に備えられた点検者データベースと機器データベースの一例を示す図である。
【図１２】データベースサーバの記憶部に備えられた点検結果データベースの一例を示す図である。
【図１３】作業端末によって点検される各機器の位置を示した配置図である。
【発明を実施するための形態】
【００１５】
以下、図面を参照して本発明の実施の形態を説明する。
（Ａ：構成）
（Ａ−１：システム構成）
図１は、実施形態に係る管理システム９の全体構成を示す概念図である。この管理システム９は、火災報知設備の感知器の点検結果を管理するシステムである。図１に示す試験器２は、火災報知器３の作動確認をするためのものであり、火災報知器３に対して熱や上昇空気などを放出することにより擬似的な火災状態（以下、擬似火災状態という）を供給する試験手段である。火災報知器３は、「火災報知設備の感知器及び発信機に係る技術上の規格を定める省令」により定められた「火災報知設備の感知器」である。さらにこの火災報知器３には、固有の識別情報（以下、機器ＩＤという）を記憶したＩＣタグ３１が設けられている。このＩＣタグ３１は、ＲＦＩＤ（Radio Frequency Identification）であり、タグリーダ７が発信する電波を受信して、これをエネルギー源とし、自身に固有の機器ＩＤを含んだ反射波を返す、いわゆるパッシブＩＣタグである。タグリーダ７は、試験器２に設けられたアンテナ７１を有し、試験器２が上述したＩＣタグ３１に予め定めた距離まで近接すると、ＩＣタグ３１に対して電波を発信してＩＣタグ３１から返される反射波を受信する受信装置である。このタグリーダ７は作業端末１と接続しており、受信した反射波が示す機器ＩＤに応じた信号を作業端末１に送信する。
【００１６】
作業端末１は、点検者が点検時に携帯する情報端末であり、タグリーダ７が送信する信号から機器ＩＤを読み取り、この機器ＩＤと点検者の操作に応じて火災報知器３の点検結果を示す点検データを生成し、無線通信によりこれを集計用端末８に送信する。集計用端末８は、パーソナルコンピュータなどで構成され、作業端末１から送信された点検データを集計する。また、集計用端末８は、ネットワーク５に接続されており、ネットワーク５を介してデータベースサーバ４に、集計した上述の点検データを送信する。中央監視装置６は、ビルなどの建造物において、複数配置されている火災報知器３のそれぞれと接続し、これらから送られる火災信号を監視するための装置である。ネットワーク５は、インターネットなどの情報通信回線であり、集計用端末８やデータベースサーバ４との間でデータのやり取りをする。データベースサーバ（図面では、「データベース」を「ＤＢ」と略記する）４は、ネットワーク５を介して集計用端末８から受け取った点検データを管理するデータ管理装置である。
【００１７】
（Ａ−２：火災報知器および中央監視装置の構成）
図２は、火災報知器３および中央監視装置６の構成を示すブロック図である。前述したＩＣタグ３１については、説明を省略する。図に示す発光部３２は、制御信号を受けて点灯するＬＥＤ（Light Emitting Diode）である。感知器３３は、熱や煙などを感知して自動的に「火災が生じていることを示す電気信号」である火災信号を発信するセンサである。具体的には、熱などに感応して変形するダイヤフラムにより接点が開から閉に切り替えられることで、火災信号が生じるように構成されている。端子３９は、感知器３３が発信する火災信号や発光部３２を制御する制御信号を、有線通信により中央監視装置６とやり取りするための接続端子である。
【００１８】
中央監視装置６は、図に示すように複数の火災報知器３と接続しており、火災報知器３から火災信号を受け取ると、火災信号を発信した火災報知器３に対して、発光部３２の発光を指示する制御信号を送信する。火災報知器３が端子３９を介して、この制御信号を受け取ると、発光部３２が発光する。これにより、この発光部３２の発光する光を目視で確認することで、火災報知器３が、火災信号を中央監視装置６に発信したこと、および、中央監視装置６から発光を指示する制御信号を受信したことがわかる。
【００１９】
（Ａ−３：作業端末の構成）
図３は、作業端末１の構成を示すブロック図である。図に示すＣＰＵ（Central Processing Unit）１１は、ＲＯＭ１２に記憶されているブートローダや記憶部１４に記憶されているコンピュータプログラムを読み出して実行することにより作業端末１の各部を制御する制御手段である。なお、このような制御手段としてはＣＰＵ以外にも種々の装置を適用することができ、例えば、専用のプロセッサなどを用いてもよい。ＲＯＭ（Read Only Memory）１２は半導体素子等で構成された読み出し専用の不揮発性記憶装置である。このＲＯＭ１２には、記憶部１４に記憶されている基本ＯＳ（Operating System）をＲＡＭ（Random Access Memory）１３にロードするためのブートローダやＢＩＯＳ（Basic Input/Output System）などが記憶されている。ＲＡＭ１３はＣＰＵ１１がプログラムを実行する際のワークエリアとして利用される。記憶部１４はフラッシュメモリやハードディスクドライブなどの大容量の記憶手段であり、ＣＰＵ１１に読み込まれるプログラムを記憶するほか、種々のデータを記憶する。また、記憶部１４は、作業端末１で入力される点検結果を記憶する点検結果テーブル１４１を有している。
【００２０】
操作部１５は、ユーザによる操作を受け付けてその操作内容に応じた信号（以下、操作信号という）をＣＰＵ１１に供給する。ここで、利用者は、試験器２により試験された火災報知器３を目視によって確認し、この操作部１５によって、その試験の結果を表した情報（以下、結果情報という）を入力する操作も行う。したがって、ＣＰＵ１１は、試験結果を示す結果情報を受け取る結果情報受取手段として機能する。表示部１６は、ＣＰＵ１１の制御の下、種々の情報（文字、画像等）を表示する表示手段であり、例えば液晶ディスプレイなどで構成される。図４は、作業端末１の外観を示す図である。図に示す作業端末１は、いわゆるＰＤＡ（Personal Digital Assistant）であり、丸みを帯びた平板状の筐体を備え、この筐体の一面には、表示部１６の液晶ディスプレイ部分が配置されている。また、液晶ディスプレイ部分の周囲には、操作部１５である各種のボタン１５ａや十字キー１５ｂなどが備えられている。図に示す上辺右側には、接続端子１７が、上辺左側には、通信部１８が備えられている。接続端子１７は、ＵＳＢ（Universal Serial Bus）規格に準拠したシリアルインタフェースなどで構成される有線通信手段であり、後述するタグリーダ７のコード７８と接続する。通信部１８は、例えばIMT-2000に準拠した無線通信回路、あるいは、ＩｒＤＡ（Infrared Data Association）、Bluetooth（登録商標）などに準拠した無線インタフェースなどで構成される無線通信手段であり、ネットワーク５との通信を行う。
【００２１】
（Ａ−４：タグリーダおよび試験器の構成）
タグリーダ７は、上述した火災報知器３に付されたＩＣタグ３１から、このＩＣタグ３１に固有の機器ＩＤを含んだ反射波を受け取る機器であり、試験器２に装着可能に構成されている。図５は、タグリーダ７を試験器２に装着した状態を示す図である。試験器２は、試験室２１と支持棒２２とを備える。試験室２１は、金属板や耐熱樹脂などで構成された有底円筒であり、図中上側には、開口部２１１を有している。この試験室２１内部には、図示しない加熱装置や送風装置が備えられており、これらを駆動させることにより、擬似火災状態を供給する。支持棒２２は、試験室２１の底に取り付けられており、試験室２１を支持する。
【００２２】
タグリーダ７の接続部７７は、試験器２の支持棒２２に着脱可能な機構を有しており、例えばクリップやつかみ金物などで構成される。この接続部７７からアーム７６が延びており、その先端には接続部７５が設けられている。この接続部７５は、棒状の支持部材であるロッド７４の一端に摺動可能に取り付けられている。この接続部７５は、ロッド７４から図示しない弾性体などによって下向きの付勢力を受けており、外力のない状態では、図に示すように、ロッド７４の下端に位置するように構成されている。ロッド７４のうち接続部７５が取り付けられている側の反対側の端（上端）には、接続部７３が固定的に取り付けられている。接続部７３からはアーム７６と略平行にアーム７２が延びており、その先端には、環状のアンテナ７１が取り付けられている。上述の位置関係により、アンテナ７１の環は、図に示すように、試験器２の試験室２１の上空に配置されることとなる。アンテナ７１は、ＩＣタグ３１に対して電波を送信する送信機と、ＩＣタグ３１が返す反射波を受信する受信機を兼ね備えた送受信機である。アンテナ７１は、受信した反射波を図示しない変調器で電気信号に変調する。コード７８は、変調されたこの電気信号を作業端末１の接続端子１７へ伝達する。接続端子１７はコード７８によって伝達された電気信号を、バス１９を介してＣＰＵ１１に送る。
【００２３】
図６は、タグリーダ７を装着した試験器２により、火災報知器３を点検する状態の概略を示す図である。天井Ｒには、火災報知器３が設置されている。この火災報知器３を試験するに当り、まず点検者は、火災報知器３がタグリーダ７のアンテナ７１の環によって囲まれるように、アンテナ７１を火災報知器３の近傍にあてがうと、アンテナ７１が装着された試験器２が火災報知器３に設けられたＩＣタグ３１に対して予め定めた距離まで近接する。この状態を図６（ａ）に示す。このとき、上述したように、接続部７５はロッド７４から、矢線Ｄ１の方向（図に示す下方向）に付勢力を受けている。そして、点検者は、試験器２の支持棒２２を図６（ｂ）の矢線Ｄ２の方向（図に示す上方向）に押すと、火災報知器３が開口部２１１を通り、試験室２１の内部に収納される。このとき、接続部７５は、上述した付勢力に抗してロッド７４に沿って摺動する。図６（ｂ）に示すように、火災報知器３が試験室２１の内部に収納された状態になると、点検者は試験器２を操作して、試験室２１の内部に擬似火災状態を発生させる。したがって、点検者が火災報知器３に対する試験としてこの擬似火災状態を供給したときに、火災報知器３の発光部３２が発光すれば、点検者は、火災報知器３が正常に作動していることがわかる。一方、このとき、火災報知器３の発光部３２が発光しなければ、点検者は、火災報知器３が正常に作動していないことがわかる。
【００２４】
（Ａ−５：データベースサーバ４の構成）
図７は、データベースサーバ４の構成を示すブロック図である。ＣＰＵ４１、ＲＯＭ４２、およびＲＡＭ４３は、ＣＰＵ１１、ＲＯＭ１２、およびＲＡＭ１３と同様の構成であるため、説明を省略する。記憶部４４は、ハードディスクドライブなどの大容量の記憶手段であり、ＣＰＵ４１に読み込まれるプログラムを記憶するほか、点検結果データベース４４１、点検者データベース４４２、および機器データベース４４３を有している。点検結果データベース４４１は、点検者が作業端末１を用いて入力した点検結果を集計するデータベースである。点検者データベース４４２は、点検者名を点検者番号ごとに記憶するデータベースである。機器データベース４４３は、火災報知器３に付したＩＣタグ３１の機器ＩＤと、この火災報知器３が設置されている場所名などを対応付けて記憶するデータベースである。操作部４５は、キーボードやマウスなどを備えており、ユーザからの操作信号をＣＰＵ４１に供給する。表示部４６は、ＣＰＵ４１の制御の下、種々の情報を表示する表示手段であり、例えば液晶ディスプレイである。通信部４８は、ネットワーク５とデータのやり取りをするための通信機器である。
【００２５】
（Ｂ：動作）
次に、管理システム９の動作を説明する。特に作業端末１とデータベースサーバ４の動作を中心に説明する。
（Ｂ−１：作業端末の動作）
点検者が火災報知器３を点検する点検作業の概要は、以下のとおりである。点検者は、作業端末１に自己を示す点検者番号を入力し、火災報知器３にタグリーダ７のアンテナ７１をあてがい、試験器２の試験室２１の内部に火災報知器３を収納する。そして、点検者は試験器２を操作して、この火災報知器３に試験を行い、火災報知器３の作動状態を確認する。そして、点検者は、確認した火災報知器３の作動状態を作業端末１に入力し、別の火災報知器３の試験を行う。
以下、具体的な動作例を挙げてこのときの作業端末１の動作を説明する。
【００２６】
図８は、作業端末１の操作画面の一例を示す図である。また、図９（ａ）および図９（ｂ）は、作業端末１の動作の流れを説明するフローチャートである。まず、点検者が、作業端末１の操作部１５を操作して、作業端末１を起動させると、作業端末１のＣＰＵ１１は、表示部１６を制御して、図８（ａ）に示すような操作画面を表示させる（ステップＳＡ１０１）。この操作画面を点検者番号入力画面という。図に示すように点検者番号入力画面には、「点検者番号入力：」という文字列と、その文字列の下にテキストボックス１６１と、確認ボタン１６２とが表示されている。点検者が十字キー１５ｂを操作すると、ＣＰＵ１１はその操作に応じて、テキストボックス１６１または確認ボタン１６２が選択されていることを示す図形を表示部１６に表示させる。例えば、テキストボックス１６１が選択されているときには、図に示すように、テキストボックス１６１の矩形の中にテキストを入力する位置を示す図形（カーソルなど）を表示させる。なお、このとき、テキストボックス１６１と確認ボタン１６２との間に数字の０〜９が表示されたテンキーが表示される。点検者は、このテンキーを見ながら、十字キー１５ｂとボタン１５ａを操作し点検者番号を入力すると、ＣＰＵ１１は入力された点検者番号をテキストボックス１６１に表示させる。
【００２７】
次に、ＣＰＵ１１は、点検者を示す番号である点検者番号の入力があったか否かを判断する（ステップＳＡ１０２）。そして、点検者番号の入力がない場合には（ステップＳＡ１０２；ＮＯ）、当該入力を待ち続ける。点検者は点検者番号入力画面において、点検者番号をテキストボックス１６１に表示させた後、十字キー１５ｂを操作すると、ＣＰＵ１１は、確認ボタン１６２を選択していることを示す画像を表示部１６に表示させる。そして、点検者が所定のボタン１５ａを押下すると、ＣＰＵ１１は、点検者番号の入力があったと判断する。このようにして点検者番号の入力があった場合には（ステップＳＡ１０２；ＹＥＳ）、ＣＰＵ１１は、入力された点検者番号をＲＡＭ１３に記憶する（ステップＳＡ１０３）。
次に、ＣＰＵ１１は、タグリーダ７からＩＣタグ３１の機器ＩＤを受信したか否かを判断する（ステップＳＡ１０４）。そして、機器ＩＤの受信がない場合には（ステップＳＡ１０４；ＮＯ）、機器ＩＤの受信を待ち続ける。
【００２８】
点検者が、図６（ｂ）に示したように、火災報知器３が環の中に収まるように、タグリーダ７のアンテナ７１をあてがうと、ＩＣタグ３１は、アンテナ７１から送信された電波をエネルギー源として、自身の機器ＩＤを含む反射波を発生させ、アンテナ７１に送信する。アンテナ７１がこの反射波を受け取り、機器ＩＤを含んだ電気信号が作業端末１のＣＰＵ１１に伝達されると、ＣＰＵ１１は、機器ＩＤを受信したと判断し（ステップＳＡ１０４；ＹＥＳ）、機器ＩＤを受信した時刻を示す時刻データを、内蔵するタイマにより特定して、受信した機器ＩＤと時刻データをＲＡＭ１３に記憶するとともに（ステップＳＡ１０５）、表示部１６を制御して、図８（ｂ）に示すような操作画面を表示させる（ステップＳＡ１０６）。すなわち、ＲＡＭ１３は、タグリーダ７（受信装置）が受信した機器ＩＤ（識別情報）を記憶する記憶手段として機能する。そして、ステップＳＡ１０５においては、ＲＡＭ１３に記憶された機器ＩＤは未だ、結果情報と組み合わされていない状態である。この操作画面を点検結果入力画面という。図に示す点検結果入力画面には、ステップＳＡ１０３でＲＡＭ１３に記憶された点検者番号と、受信した機器ＩＤが表示され、また、「良」の文字が記述された状態ボタン１６３と、「不良」の文字が記述された状態ボタン１６４が表示されている。これらの「良」「不良」は、これらが記述されている各状態ボタンが押下されることにより出力される結果情報に対応している。
【００２９】
続いて、ＣＰＵ１１は、状態ボタンに対する押下の操作があるか否かを判断する（ステップＳＡ１０７）。状態ボタンに対する押下の操作がある場合には（ステップＳＡ１０７；ＹＥＳ）、ＣＰＵ１１は、押下された状態ボタンが示す結果情報を受け取り、ステップＳＡ１０５で記憶されたＲＡＭ１３内の機器ＩＤに対し、この結果情報を対にしてＲＡＭ１３に記憶させる。そしてＣＰＵ１１は、ＲＡＭ１３に対にして記憶させた機器ＩＤと結果情報を、ステップＳＡ１０３でＲＡＭ１３に記憶された点検者番号およびステップＳＡ１０５でＲＡＭ１３に記憶された時刻データと対応付けて記憶部１４の点検結果テーブル１４１に書き込む（ステップＳＡ１０８）。すなわち、ＣＰＵ１１は、ＲＡＭ１３（記憶手段）に記憶された機器ＩＤ（識別情報）が未だ結果情報と組み合わされていない状態のときに、ＣＰＵ１１（結果情報受取手段）が結果情報を受け取るとその結果情報とその機器ＩＤとを組み合わせる結果情報組合せ手段として機能する。例えば、試験を行って火災報知器３が正常に作動しないことを確認した場合に、点検者は、状態ボタン１６４を押下する操作を行い、その火災報知器３の結果情報として「不良」を入力する。これに対して、作業端末１のＣＰＵ１１は、点検結果テーブル１４１にその火災報知器３の機器ＩＤと時刻データに対応する結果情報として「不良」を書き込む。
【００３０】
一方、状態ボタンに対する押下の操作がない場合には（ステップＳＡ１０７；ＮＯ）、ＣＰＵ１１は、終了指示がされているか否かを判断する（ステップＳＡ１０９）。終了指示とは、点検作業を終了する旨の指示であり、点検者が作業端末１の所定のボタン１５ａを押下することで行われる。ＣＰＵ１１は、ここで終了指示がされていると判断した場合には（ステップＳＡ１０９；ＹＥＳ）、作業端末１を終了し、終了指示がされていないと判断した場合には（ステップＳＡ１０９；ＮＯ）、ＣＰＵ１１は、タグリーダ７からＩＣタグ３１のすでにＲＡＭ１３に記憶されている機器ＩＤとは異なる新たな機器ＩＤを受信したか否かを判断する（ステップＳＡ１１０）。
【００３１】
新たな機器ＩＤを受信したと判断すると（ステップＳＡ１１０；ＹＥＳ）、ＣＰＵ１１は、ＲＡＭ１３内の機器ＩＤに対し、予め定められた結果情報として「良」を示す結果情報を対にしてＲＡＭ１３に記憶させる。そしてＣＰＵ１１は、ＲＡＭ１３に対にして記憶させた機器ＩＤと結果情報を、ステップＳＡ１０３でＲＡＭ１３に記憶された点検者番号およびステップＳＡ１０５でＲＡＭ１３に記憶された時刻データと対応付けて記憶部１４の点検結果テーブル１４１に書き込み（ステップＳＡ１１１）、処理をステップＳＡ１０５に戻す。すなわち、ＣＰＵ１１は、ＲＡＭ１３（記憶手段）に記憶された機器ＩＤ（識別情報）が未だ結果情報と組み合わされていない状態のときに、タグリーダ７（受信装置）が機器ＩＤを新たに受信すると予め定められた結果情報とその機器ＩＤとを組み合わせる結果情報組合せ手段として機能する。例えば、試験を行って火災報知器３が正常に作動することを確認した場合に、点検者が、作業端末１の操作を行わずに、次の火災報知器３にアンテナ７１を移動させたとする。この場合に、作業端末１には、直前に受信した機器ＩＤで識別される火災報知器３についての結果情報が入力されず、次の機器ＩＤが入力される。このとき、ＣＰＵ１１は、直前に受信した機器ＩＤに対応付けて、予め定められた結果情報である「良」をＲＡＭ１３に記憶させる。
一方、機器ＩＤを受信していないと判断した場合には（ステップＳＡ１１０；ＮＯ）、ＣＰＵ１１は、処理をステップＳＡ１０７に戻す。これにより、改めて、状態ボタンが押下されたか否かが判断される。すなわち、点検者による操作待ちの状態になる。
【００３２】
以上の動作から、点検者が、作業端末１の操作部１５に対して操作をせずに、単に次の火災報知器３の試験を開始すると、ＣＰＵ１１は、直前に点検した機器ＩＤに対応する結果情報として「良」を書き込むので、点検者は、火災報知器３の結果情報が良であるときには、結果情報の入力を省略することができる。つまり、点検者は、火災報知器３の点検結果が不良であるときにだけ「不良」を示す状態ボタン１６４を操作すればよいため、操作の煩雑さを低減することができる。
【００３３】
図１０は、このようにして点検データが書き込まれた点検結果テーブル１４１の一例を示す図である。例えば、図に示すように、機器ＩＤ「１１１，２２２，３３３」には、点検日時「２００７／０６／２９  １０：１０：００」と、点検者番号「１３，２３４」と、状態「良」とが対応付けられて記憶されている。この点検結果テーブル１４１に点検データが書き込まれた後、点検者が作業端末１に所定の操作を行うと、作業端末１のＣＰＵ１１は、通信部１８によりこれらの点検データを集計用端末８に送信する。集計用端末８は、ネットワーク５を介してこれらの点検データをデータベースサーバ４に送信する。
以下、データベースサーバ４が点検データを受信して点検結果データベース４４１を構築する動作を説明する。
【００３４】
（Ｂ−２：データベースサーバの動作）
図１１は、データベースサーバ４の記憶部４４に備えられた点検者データベース４４２と、機器データベース４４３の一例を示す図である。また、図１２は、記憶部４４に備えられた点検結果データベース４４１の一例を示す図である。図１１に示すように、点検者データベース４４２には、点検者番号と点検者名とが対応付けられて書き込まれている。また、機器データベース４４３には、機器ＩＤと、場所、エリア、機器番号とが対応付けられて書き込まれている。集計用端末８から、ネットワーク５を介して点検データが送られてくると、データベースサーバ４のＣＰＵ４１は、これをＲＡＭ４３に記憶する。そして、ＣＰＵ４１は、記憶部４４から点検者データベース４４２を読み出して、この点検データに含まれる点検者番号に対応する点検者名に置換する。また、ＣＰＵ４１は、記憶部４４から機器データベース４４３を読み出して、点検データに含まれる機器ＩＤを、場所、エリアおよび機器番号の組に置換する。そして、置換されたこの点検データを記憶部４４の点検結果データベース４４１に書き込む。以上の動作により、ＣＰＵ４１は、点検結果データベース４４１を更新し、点検者が作業端末１を用いて入力した点検データが点検結果データベース４４１に反映される。
【００３５】
このように、データベースサーバ４がネットワーク５に接続されているので、ＷＥＢサーバソフトウェアを適宜設定することにより、ネットワーク５に接続された汎用コンピュータで汎用ブラウザソフトウェアを稼働させるだけで、点検作業の状況を把握することができる。
【００３６】
（Ｃ：変形例）
（１）上述の実施形態において、作業端末１で受信した点検データは、集計用端末８を介してデータベースサーバ４へ送られたが、作業端末１から直接、データベースサーバ４へ送るようにしてもよい。また、上述の実施形態において、各点検データは集計されてからデータベースサーバ４に送信されていたが、点検データごとにデータベースサーバ４に送信されてもよい。これにより、データベースサーバ４には、作業端末１による点検状況がリアルタイムに送信される。また、作業端末１は、点検データを生成する毎にデータベースサーバ４にこれを送信し、データベースサーバ４がこれを記憶するので、作業端末１に点検データを記憶する必要がなく、作業端末１の紛失に伴う点検データの紛失の可能性が低減される。
【００３７】
また、上述の実施形態において、データベースサーバ４のＣＰＵ４１は、記憶部４４から点検者データベース４４２を読み出して、点検データに含まれる点検者番号に対応する点検者名に置換し、機器データベース４４３を読み出して、点検データに含まれる機器ＩＤを、場所、エリアおよび機器番号の組に置換していたが、これらの置換作業は作業端末１や集計用端末８で行われてもよい。この場合、点検者データベース４４２および機器データベース４４３は作業端末１や集計用端末８に備えられており、作業端末１や集計用端末８により点検者番号がこれに対応する点検者名に、機器ＩＤがこれに対応する場所、エリアおよび機器番号の組にそれぞれ変換されたデータをデータベースサーバ４が受け取ればよい。
【００３８】
（２）上述の実施形態において、ＩＣタグ３１は、火災報知器３に付されていたが、消火器、散水装置および防犯装置などの他の機器に付されていてもよい。また、データベースサーバ４の記憶部４４に記憶された機器データベース４４３には、機器ＩＤと、場所、エリアおよび機器番号の組が対応付けられて記述されていたが、これらに加えてまたはこれらに代えて、機器ＩＤに対応する他の情報が記述されていてもよい。例えば、機器ＩＤが示す機器の位置を示す情報が記述されていてもよい。
【００３９】
図１３は、作業端末１によって点検される各機器の位置を示した配置図である。図に示す例では、点検者が点検する設備には４つの部屋とこれらの部屋をつなぐ廊下があり、各部屋は扉Ｐ１，Ｐ２，…，Ｐ６を通って出入りされるようになっている。これらの部屋および廊下には機器Ｑ１，Ｑ２，…，Ｑ７が備えられている。機器データベース４４３には、各機器Ｑ１〜Ｑ７のそれぞれについて、他の機器および扉との距離を示す距離情報を記述されている。そして、ＣＰＵ４１は、この距離情報を基に点検者が点検する順路を作成し、作業端末１に送るようにしてもよい。例えば、点検者が扉Ｐ１から設備に入って点検を開始することが予め定められている場合には、ＣＰＵ４１は、機器データベース４４３から読み出した距離情報を基に、順路を示す順路情報として「Ｐ１→Ｑ４→Ｐ２→Ｑ１→Ｐ２→Ｐ３…」を生成し、ネットワーク５および集計用端末８を介して作業端末１へ送信してもよい。なお、この順路情報は、最短経路問題を解くための様々なアルゴリズムによって好適に生成される。
【００４０】
また、機器データベース４４３にこれらの距離情報を記述するのではなく、記憶部４４が、扉Ｐ１，Ｐ２，…，Ｐ６の位置および機器Ｑ１，Ｑ２，…，Ｑ７の位置を示す位置情報を記憶していてもよい。ＣＰＵ４１は、点検の度にこの位置情報から順路を示す順路情報を生成してもよい。なお、ＣＰＵ４１は、作業端末１からリアルタイムに点検データを受け取った場合には、この位置情報を参照することで、この点検データを図１３に示すような地図上に視覚的に表示させてもよい。これにより、データベースサーバ４のユーザは、点検者による点検の進捗具合をリアルタイムに、かつ、視覚的に把握することができる。
【００４１】
また、このようなデータベースサーバ４のＣＰＵ４１や作業端末１のＣＰＵ１１は、逐次送られてくる点検データに含まれる機器ＩＤを監視し、これに基づいて上述の順路情報が示す順路から外れて機器ＩＤが送られた場合には、点検者に対し、指定した順路を外れていることを警告するようにしてもよい。また、ＣＰＵ４１は、順次送られてくる点検データに含まれる機器ＩＤと点検日時との組から点検者が各機器ＩＤ間を移動した時間を算出し、機器データベース４４３の記述内容から各機器同士の距離を読み出して、点検者が点検に際して各機器間を移動した速度を測定速度として算出する。また、データベースサーバ４の記憶部４４には、点検者が移動する標準的な移動速度を標準移動速度情報として予め記憶している。ＣＰＵ４１は、算出したこの測定速度と、記憶部４４から読み出した標準移動速度情報とを比較することで、点検が標準的な移動速度に比して速く行われたか否かを判断してもよい。さらに、標準移動速度情報は上限と下限で示される範囲で定められており、ＣＰＵ４１は、測定速度がこの範囲内にない場合には、作業端末１を介して点検者に警告したり、点検結果データベース４４１にその点検結果の信頼性が低いことを示す内容を記述したりしてもよい。また、点検者ごとの評価に、この結果を用いてもよい。
【００４２】
（３）上述の実施形態において、火災報知器３の発光部３２の発光する光を目視で確認することで、火災報知器３が火災信号を中央監視装置６に発信したこと、および、中央監視装置６から発光を指示する制御信号を受信したことを、点検者が把握していたが、発光部３２の発光する光を確認する手段は目視による確認に限られない。例えば、タグリーダ７に受光センサを設けてもよい。この受光センサは、アンテナ７１を火災報知器３にあてがうと発光部３２が発光する光が当たる位置に設けられている。そして、受光センサは、発光部３２が発光するとその光を検知して、作業端末１に光を検知したことを示す信号を送信するようになっている。作業端末１は、点検者の点検結果とともに光を検知したか否かを記憶し、点検者の点検結果のクロスチェックに用いてもよい。
【００４３】
なお、火災報知器３には、発光部３２以外の機構であって、火災報知器３の状態を示すものが設けられていてもよい。例えば、火災報知器３には、超音波発生装置や電磁波発生装置などが備えられており、中央監視装置６の制御信号に応じて、超音波や電磁波などを発生するようにしてもよい。この場合、上記の受光センサに替えて、超音波や電磁波などを検出する検出装置を設ければよい。要するに、タグリーダ７には、機器が示す状態を機器状態信号として検知する検知手段が設けられていればよい。
【００４４】
（４）上述の実施形態において、点検データは、作業端末１の点検結果テーブル１４１に書き込まれていたが、点検データはＩＣタグ３１に書き込まれてもよい。この場合には、タグリーダ７として、いわゆるＲＦＩＤリーダライタ等、ＩＣタグ３１に情報を書き込み可能な構成を用いればよい。作業端末１は、タグリーダ７を介して、ＩＣタグ３１から前回書き込まれた点検日時を最終点検日時として読み出すとともに、現在の日時を示す点検日時をＩＣタグ３１に書き込む。そして、これらの点検日時を比較することにより、点検の信頼性を評価するようにしてもよい。また、最終点検日時から現在の点検日時までの期間が予め定めた閾値を超えるまたは下回る場合には、ＣＰＵ１１は、作業端末１の表示部１６に警告を表示させるようにしてもよい。なお、この場合、作業端末１がタグリーダ７を介してＩＣタグ３１に書き込む点検データは、点検データの全ての内容でなくてもよく、その一部であってもよい。
【００４５】
（５）上述の実施形態において、ＩＣタグ３１とタグリーダ７により火災報知器３を識別していたが、他の構成を用いて識別してもよい。例えば、バーコードとバーコードリーダ、超音波発信機と超音波受信機などを用いて火災報知器３を識別してもよい。
【００４６】
（６）上述の実施形態において、試験器２とＩＣタグ３１が予め定めた距離まで近接したときに、アンテナ７１がＩＣタグ３１に対して電波を発信してＩＣタグ３１から返される反射波を受信していたが、この距離は、試験器２が火災報知器３に対して試験を行うことができる距離に設定されていてもよい。これにより、タグリーダ７のアンテナ７１が反射波を受け取るには、試験可能な距離まで、試験器２を火災報知器３に近接させる必要が生じるので、試験結果を誤って入力することや悪意による入力を防止することができる。
【００４７】
（７）上述の実施形態において、接続端子１７は、ＵＳＢ規格に準拠したシリアルインタフェースなどで構成される有線通信手段であったが、無線通信手段であってもよい。この場合、コード７８はなくてもよく、タグリーダ７のアンテナ７１は直接、作業端末１の接続端子１７に電気信号を送ればよい。
【００４８】
（８）上述の実施形態において、１つの作業端末１に対して１つのタグリーダ７が接続されていたが、１つの作業端末１に対して複数のタグリーダ７が接続されてもよい。この場合、複数のタグリーダ７はそれぞれタグリーダＩＤによって識別されればよい。このタグリーダＩＤとは、複数のタグリーダ７のそれぞれに取り付けられたＩＣタグ等に記憶された受信装置識別情報であり、例えば、タグリーダ７に備えられた図示しない変調器により、アンテナ７１が受信した機器ＩＤとともに電気信号に含められる。なお、タグリーダＩＤは、タグリーダ７のコード７８が接続端子１７と接続したときに、コード７８を介してＣＰＵ１１に伝達されてもよい。要するに、アンテナ７１は、受信した機器ＩＤを含んだ電気信号と、このアンテナ７１が取り付けられているタグリーダ７を識別するタグリーダＩＤとをＣＰＵ１１に伝達し、ＣＰＵ１１は、この機器ＩＤとタグリーダＩＤとの組をＲＡＭ１３に記憶すればよい。
【００４９】
以下、点検者が、１つの作業端末１と２つのタグリーダ７Ａ，７Ｂを携帯して火災報知器３を点検する場合を挙げて説明する。このタグリーダ７Ａは試験器２Ａに装着され、タグリーダ７Ｂは試験器２Ｂに装着されている。試験器２Ａは、加熱装置を備えており、熱による擬似火災状態を供給する。試験機２Ｂは、煙を発生させる煙発生装置を備えており、煙による擬似火災状態を供給する。
【００５０】
点検者が、火災報知器３が環の中に収まるように、タグリーダ７Ａのアンテナ７１Ａをあてがうと、アンテナ７１ＡがＩＣタグ３１から反射波を受け取り、タグリーダ７Ａを示すタグリーダＩＤと機器ＩＤとを含んだ電気信号が作業端末１のＣＰＵ１１に伝達されると、ＣＰＵ１１は、タグリーダＩＤと機器ＩＤとを受信したと判断し、機器ＩＤを受信した時刻を示す時刻データを、内蔵するタイマにより特定して、受信した機器ＩＤとタグリーダＩＤとの組と、時刻データをＲＡＭ１３に記憶するとともに、表示部１６を制御して点検結果入力画面を表示させる。
【００５１】
続いて、ＣＰＵ１１は、状態ボタンに対する押下の操作があるか否かを判断する。状態ボタンに対する押下の操作がある場合には、ＣＰＵ１１は、押下された状態ボタンが示す結果情報を受け取り、ＲＡＭ１３内に記憶されている機器ＩＤとタグリーダＩＤとの組に対し、この結果情報を対にしてＲＡＭ１３に記憶させる。そしてＣＰＵ１１は、ＲＡＭ１３に対にして記憶させた機器ＩＤ、タグリーダＩＤ、及び結果情報を、上述した点検者番号及び時刻データと対応付けて記憶部１４の点検結果テーブル１４１に書き込む。
【００５２】
一方、状態ボタンに対する押下の操作がない場合には、ＣＰＵ１１は、終了指示がされているか否かを判断する。ここで、終了指示がされていると判断した場合には、作業端末１を終了し、終了指示がされていないと判断した場合には、ＣＰＵ１１は、ＲＡＭ１３に記憶されている機器ＩＤとタグリーダＩＤとの組に対し、少なくともいずれか一方が異なっている、機器ＩＤとタグリーダＩＤとの組を受信したか否かを判断する。すなわち、ＣＰＵ１１は、ＲＡＭ１３に記憶されている組を構成する機器ＩＤと異なる新たな機器ＩＤ、又は、その組を構成するタグリーダＩＤと異なる新たなタグリーダＩＤのいずれかを受信したか否かを判断する。
【００５３】
新たな機器ＩＤ、又は新たなタグリーダＩＤを受信したと判断すると、ＣＰＵ１１は、ＲＡＭ１３内の機器ＩＤとタグリーダＩＤとの組に対し、予め定められた結果情報として「良」を示す結果情報を対にしてＲＡＭ１３に記憶させる。そしてＣＰＵ１１は、ＲＡＭ１３に対にして記憶させた機器ＩＤ、タグリーダＩＤ、及び結果情報を、上述した点検者番号及び時刻データと対応付けて記憶部１４の点検結果テーブル１４１に書き込む。
【００５４】
例えば、点検者が、試験器２Ａを操作して熱による擬似火災状態を供給する試験を行って火災報知器３が正常に作動することを確認した後に、点検者が、作業端末１の操作を行わずに、次の火災報知器３にアンテナ７１Ａを移動させたとすると、作業端末１には、直前に受信した機器ＩＤで識別される火災報知器３と、タグリーダＩＤで識別されるタグリーダ７Ａとの組についての結果情報が入力されず、次の機器ＩＤがタグリーダ７Ａを示すタグリーダＩＤとともに入力される。このとき、ＣＰＵ１１は、直前に受信した機器ＩＤとタグリーダＩＤとの組に対応付けて、予め定められた結果情報である「良」をＲＡＭ１３に記憶させる。
【００５５】
一方、上記の確認をした後、点検者が作業端末１の操作を行わなかった場合に、点検者が、次の火災報知器３にアンテナ７１Ａを移動させるのではなく、その火災報知器３に対してタグリーダ７Ｂのアンテナ７１Ｂをあてがったとすると、作業端末１には、直前に受信したタグリーダＩＤと機器ＩＤとの組に対して、結果情報が入力されず、次のタグリーダＩＤと機器ＩＤとが入力される。このときにも、ＣＰＵ１１は、直前に受信した機器ＩＤとタグリーダＩＤとの組に対応付けて、予め定められた結果情報である「良」をＲＡＭ１３に記憶させる。
【００５６】
すなわち、ＲＡＭ１３（記憶手段）に記憶された機器ＩＤ（識別情報）とタグリーダＩＤ（受信装置識別情報）との組が未だ結果情報と組み合わされていない状態のときに、ＣＰＵ１１（結果情報受取手段）が結果情報を受け取ると、ＣＰＵ１１（結果情報組合せ手段）は、その結果情報と上記の組とを組み合わせて記憶する。
一方、上述した状態のときに、ＣＰＵ１１（結果情報受取手段）がタグリーダ７（受信装置）から新たな機器ＩＤとタグリーダＩＤとを受信すると、ＣＰＵ１１（結果情報組合せ手段）は、予め定められた結果情報と、ＲＡＭ１３に記憶されている機器ＩＤとタグリーダＩＤとの組とを組み合わせて記憶する。
【符号の説明】
【００５７】
１…作業端末、１１…ＣＰＵ、１２…ＲＯＭ、１３…ＲＡＭ、１４…記憶部、１４１…点検結果テーブル、１５…操作部、１５ａ…ボタン、１５ｂ…十字キー、１６…表示部、１６１…テキストボックス、１６２…確認ボタン、１６３…状態ボタン、１６４…状態ボタン、１７…接続端子、１８…通信部、１９…バス、２…試験器、２１…試験室、２１１…開口部、２２…支持棒、３…火災報知器、３１…ＩＣタグ、３２…発光部、３３…感知器、３９…端子、４…データベースサーバ、４１…ＣＰＵ、４２…ＲＯＭ、４３…ＲＡＭ、４４…記憶部、４４１…点検結果データベース、４４２…点検者データベース、４４３…機器データベース、４５…操作部、４６…表示部、４８…通信部、５…ネットワーク、６…中央監視装置、７…タグリーダ、７１…アンテナ、７２…アーム、７３…接続部、７４…ロッド、７５…接続部、７６…アーム、７７…接続部、７８…コード、８…集計用端末、９…管理システム。
【図１】
2010262388.tif 000003
【図２】
2010262388.tif 000004
【図３】
2010262388.tif 000005
【図４】
2010262388.tif 000006
【図５】
2010262388.tif 000007
【図６】
2010262388.tif 000008
【図７】
2010262388.tif 000009
【図８】
2010262388.tif 000010
【図９（ａ）】
2010262388.tif 000011
【図９（ｂ）】
2010262388.tif 000012
【図１０】
2010262388.tif 000013
【図１１】
2010262388.tif 000014
【図１２】
2010262388.tif 000015
【図１３】
2010262388.tif 000016